(57)【特許請求の範囲】
【請求項１】
空間を照明するための照明器具であって、
各々が円弧状に形成され、リング状に並べられた複数の基板と、
前記複数の基板にそれぞれ実装された複数の発光素子と、
少なくとも隣接する一対の前記基板の各々の外周部にそれぞれ実装された一対の接続部材と、
前記一対の接続部材を電気的に接続する配線であって、前記隣接する一対の基板の各々の外周部間を跨るように配置され、前記隣接する一対の基板の各々の周方向に沿った方向に、前記一対の接続部材の各々と接続される配線と、
リング状に形成されたカバー部材であって、前記複数の基板の各々の外周部を覆うことにより、前記一対の接続部材及び前記配線を覆い、遮光性を有するカバー部材と、
前記複数の発光素子からの光を拡散させるための拡散カバーと、を備える
照明器具。
【請求項２】
前記カバー部材は、前記拡散カバーに着脱自在に係合する係合部を有している
請求項１に記載の照明器具。
【請求項３】
前記照明器具は、さらに、
開口部を有するリング状に形成され、光を前記空間に導くための導光板を備え、
前記複数の発光素子は、
前記複数の基板の各々の内周部にそれぞれ実装され、前記導光板の前記開口部に対向する位置に配置された複数の第１の発光素子と、
前記複数の基板の各々の外周部にそれぞれ実装され、前記導光板の内周部に対向する位置に配置された複数の第２の発光素子と、を有する
請求項１又は２に記載の照明器具。
【請求項４】
前記照明器具は、さらに、前記基板を支持する支持部材を備え、
前記カバー部材は、
前記導光板の一部を覆い、前記導光板の内部で導かれた光を反射する反射面を有する反射部と、
前記反射部の端部から延び、前記複数の基板を前記支持部材に向けて押さえ付ける押さえ部と、を有し、
前記押さえ部は、前記複数の基板の各々の外周部を覆う
請求項３に記載の照明器具。
【請求項５】
前記導光板は、
光を一端部から他端部に向けて導く湾曲部であって、前記開口部を有し、前記一端部から前記他端部に向けてラッパ状に広がる湾曲部と、
前記湾曲部の前記一端部に形成され、前記複数の第２の発光素子からの光が入射する入射部と、
前記湾曲部の前記他端部から径方向外側に延び、前記湾曲部からの光が出射する出射部と、を有し、
前記反射部は、前記湾曲部の全周に亘って前記湾曲部の凸面側を覆う
請求項４に記載の照明器具。
【発明の詳細な説明】
【技術分野】
【０００１】
本発明は、空間を照明するための照明器具に関する。
【背景技術】
【０００２】
空間を照明するための照明器具の一つとして、シーリングライトが知られている（例えば、特許文献１参照）。シーリングライトは、天井に取り付けられる器具本体と、器具本体に支持された発光モジュールと、器具本体に支持され、発光モジュールに電力を供給する電源ユニットと、発光モジュールを覆うように器具本体に取り付けられた拡散カバーとを有している。発光モジュールは、基板と、基板に実装された複数のＬＥＤ（Ｌｉｇｈｔ  Ｅｍｉｔｔｉｎｇ  Ｄｉｏｄｅ）とを有している。
【先行技術文献】
【特許文献】
【０００３】
【特許文献１】特開２０１１−１９２４７５号公報
【発明の概要】
【発明が解決しようとする課題】
【０００４】
上述した従来のシーリングライトでは、基板には、例えば電源ユニットからのリード線を電気的に接続するためのコネクタが実装されている。基板上においてコネクタは非発光領域となるため、拡散カバーにコネクタの影が生じてしまい、良好な照明状態を得ることができないという課題が生じる。
【０００５】
本発明は、このような課題に鑑みてなされたものであり、拡散カバーに影が生じるのを抑制することができる照明器具を提供することを目的とする。
【課題を解決するための手段】
【０００６】
上記課題を解決するために、本発明の一態様に係る照明器具は、空間を照明するための照明器具であって、リング状に並べられた複数の基板と、前記複数の基板にそれぞれ実装された複数の発光素子と、少なくとも隣接する一対の前記基板の各々の外周部にそれぞれ実装された一対の接続部材と、前記一対の接続部材を電気的に接続する配線と、リング状に形成されたカバー部材であって、前記複数の基板の各々の外周部を覆い、遮光性を有するカバー部材と、前記複数の発光素子からの光を拡散させるための拡散カバーと、を備える。
【発明の効果】
【０００７】
本発明の一態様に係る照明器具によれば、拡散カバーに影が生じるのを抑制することができる。
【図面の簡単な説明】
【０００８】
【図１】実施の形態に係る照明器具の床面側の外観を示す斜視図である。
【図２】実施の形態に係る照明器具の天井側の外観を示す斜視図である。
【図３】拡散カバーを取り外した状態での、実施の形態に係る照明器具を示す分解斜視図である。
【図４】化粧カバー、導光板及び反射部材を取り外した状態での、実施の形態に係る照明器具を示す分解斜視図である。
【図５】実施の形態に係る照明器具を分解して示す分解斜視図である。
【図６】図１のＶＩ−ＶＩ線断面図である。
【図７】図６の一部を拡大して示す断面図である。
【図８】化粧カバー、導光板、反射部材及び拡散カバーを省略した状態での、実施の形態に係る照明器具を示す平面図である。
【図９】図８からさらにレンズカバーを省略した状態での、実施の形態に係る照明器具を示す平面図である。
【図１０】拡散カバーを省略した状態での、実施の形態に係る照明器具を示す平面図である。
【図１１】図１０のＸＩ−ＸＩ線断面斜視図である。
【発明を実施するための形態】
【０００９】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
また、各図は模式図であり、必ずしも厳密に図示されたものではない。なお、各図において、実質的に同一の構成に対しては同一の符号を付しており、重複する説明は省略又は簡略化する。
【００１１】
（実施の形態）
以下、実施の形態に係る照明器具について説明する。
【００１２】
［１．照明器具の構成］
［１−１．照明器具の全体構成］
まず、図１〜図５を参照しながら、実施の形態に係る照明器具２の全体構成について説明する。図１は、実施の形態に係る照明器具２の床面側の外観を示す斜視図である。図２は、実施の形態に係る照明器具２の天井４側の外観を示す斜視図である。図３は、拡散カバー２６を取り外した状態での、実施の形態に係る照明器具２を示す分解斜視図である。図４は、化粧カバー２０、導光板２２及び反射部材２４を取り外した状態での、実施の形態に係る照明器具２を示す分解斜視図である。図５は、実施の形態に係る照明器具２を分解して示す分解斜視図である。
【００１３】
照明器具２は、例えば住宅等の建物の天井４（図５参照）に設置され、建物の内部の空間６（後述する図６参照）を照明するためのシーリングライトである。図１〜図５に示すように、照明器具２は、器具本体８、器具取付部材１０、電源ユニット１２、反射カバー１４（支持部材の一例）、発光モジュール１６、レンズカバー１８、化粧カバー２０、導光板２２、反射部材２４（カバー部材の一例）及び拡散カバー２６を備えている。
【００１４】
以下、図１〜図９を参照しながら、照明器具２の各構成要素について詳細に説明する。なお、図１〜図９において、Ｚ軸のマイナス側が天井４側、Ｚ軸のプラス側が床面（図示せず）側を表している。説明の都合上、図１及び図３〜図７では、照明器具２を通常の使用時の姿勢とは上下逆の姿勢で図示している。
【００１５】
［１−２．器具本体］
図２、図５及び図６を参照しながら、器具本体８について説明する。図６は、図１のＶＩ−ＶＩ線断面図である。図７は、図６の一部を拡大して示す断面図である。
【００１６】
器具本体８は、電源ユニット１２及び反射カバー１４を支持するための筐体である。図２、図５及び図６に示すように、器具本体８は、中央部に円形状の開口部８ａを有するリング状に形成されている。器具本体８の外周部には、反射カバー１４を支持するためのフランジ部８ｂが形成されている。なお、器具本体８は、例えばアルミニウム板又は鋼板等の板金をプレス加工することによって上述した形状に成形される。
【００１７】
図６に示すように、器具本体８の開口部８ａの周縁部には、器具本体８を器具取付部材１０（後述する）に装着するためのホルダ２８が固定されている。ホルダ２８は、器具本体８の開口部８ａの周縁部から床面側に延びている。後述するように、ホルダ２８の内部には器具取付部材１０が着脱自在に嵌合される。
【００１８】
さらに、図５及び図６に示すように、器具本体８の一方側の面（床面側の面）には、反射カバー１４を支持するための絶縁ケース３０が固定されている。絶縁ケース３０は、略矩形状の筒状に形成され、ホルダ２８を囲む位置に配置されている。絶縁ケース３０は、例えば樹脂等の絶縁性材料で形成されている。
【００１９】
さらに、図２及び図６に示すように、器具本体８の他方側の面（天井４側の面）には、例えばウレタン等で形成されたクッション部材３２が複数取り付けられている。複数のクッション部材３２は、器具本体８の周方向に沿って等間隔で配置されている。後述するようにして照明器具２が天井４に設置された際に、複数のクッション部材３２が器具本体８と天井４との間に挟み込まれることにより、器具本体８のぐらつきが抑制される。
【００２０】
［１−３．器具取付部材］
次に、図３、図５及び図６を参照しながら、器具取付部材１０について説明する。器具取付部材１０は、天井４に設置された引っ掛けシーリングボディ３４（図５参照）に器具本体８を着脱自在に取り付けるためのアダプタである。
【００２１】
図３、図５及び図６に示すように、器具取付部材１０は、略円柱状に形成され、器具本体８のホルダ２８の内部に着脱自在に嵌合される。また、器具取付部材１０は、引っ掛けシーリングボディ３４に着脱自在に取り付けられる。
【００２２】
照明器具２を天井４に設置する際には、ユーザは、まず、器具取付部材１０を引っ掛けシーリングボディ３４に取り付ける。その後、ユーザは、器具取付部材１０が器具本体８のホルダ２８の内部に挿入されるようにして、器具本体８を天井４側に押し上げることにより、ホルダ２８と器具取付部材１０とを嵌合させる。これにより、器具本体８が器具取付部材１０及び引っ掛けシーリングボディ３４を介して天井４に取り付けられ、照明器具２が天井４に設置される。
【００２３】
なお、引っ掛けシーリングボディ３４は、天井４の裏側に配置された商用電源（図示せず）と電線（図示せず）を介して電気的に接続されている。照明器具２が天井４に設置されることにより、商用電源からの交流電力が電線及び引っ掛けシーリングボディ３４を介して照明器具２に供給される。
【００２４】
［１−４．電源ユニット］
次に、図５を参照しながら、電源ユニット１２について説明する。電源ユニット１２は、発光モジュール１６を発光させるための電力を生成するためのユニットである。図５に示すように、電源ユニット１２は、基板３６と、基板３６に実装された複数の回路部品３８とを有している。
【００２５】
基板３６は、複数の回路部品３８を実装するためのプリント配線基板であり、略Ｌ字状に形成されている。基板３６は、複数の回路部品３８が床面側を向くようにして、器具本体８の一方側の面に取り付けられている。
【００２６】
複数の回路部品３８の各々は、発光モジュール１６を発光させるための電力を生成するための電源回路を構成する電源用回路部品である。複数の回路部品３８は、例えば、ａ）電解コンデンサ又はセラミックコンデンサ等の容量素子、ｂ）抵抗器等の抵抗素子、ｃ）整流回路素子、ｄ）コイル素子、ｅ）チョークコイル（チョークトランス）、ｆ）ノイズフィルタ、ｇ）ダイオード又は集積回路素子等の半導体素子等を含んでいる。
【００２７】
複数の回路部品３８は、上述した商用電源から電線を介して供給されてきた交流電力を直流電力に変換する。複数の回路部品３８で生成された直流電力が発光モジュール１６に供給されることにより、発光モジュール１６が発光する。
【００２８】
なお、複数の回路部品３８には、上述した電源用回路部品だけでなく、その他の回路を構成する回路部品が含まれていてもよい。例えば、複数の回路部品３８は、調光回路又は昇圧回路等を構成する駆動用回路部品を含んでいてもよく、あるいは、通信回路を構成する通信用回路部品（通信モジュール）等を含んでいてもよい。
【００２９】
［１−５．反射カバー］
次に、図４〜図６を参照しながら、反射カバー１４について説明する。反射カバー１４は、発光モジュール１６を支持し、且つ、発光モジュール１６からの光を反射するためのカバーである。なお、反射カバー１４は、発光モジュール１６からの熱を放熱するためのヒートシンクとしても機能する。
【００３０】
図４〜図６に示すように、反射カバー１４は、中央部に略矩形状の開口部１４ａを有するリング状に形成されている。反射カバー１４の外周部にはフランジ部１４ｂが形成されている。反射カバー１４は、例えばアルミニウム板又は鋼板等の板金をプレス加工することによって上述した形状に成形される。なお、反射カバー１４の一方側の面（床面側の面）には、反射性を高めて光取り出し効率を向上させるために、白色塗料が塗布、又は、反射性金属材料が蒸着されている。
【００３１】
図６に示すように、反射カバー１４は、器具本体８の一方側の面を覆うように配置されている。反射カバー１４のフランジ部１４ｂは、器具本体８のフランジ部８ｂに複数のネジ４０で取り付けられている。また、反射カバー１４の開口部１４ａの周縁部は、絶縁ケース３０の先端部に支持されている。
【００３２】
［１−６．発光モジュール］
次に、図４〜図９を参照しながら、発光モジュール１６について説明する。図８は、化粧カバー２０、導光板２２、反射部材２４及び拡散カバー２６を省略した状態での、実施の形態に係る照明器具２を示す平面図である。図９は、図８からさらにレンズカバー１８を省略した状態での、実施の形態に係る照明器具２を示す平面図である。
【００３３】
発光モジュール１６は、例えば白色光を発するための光源である。図４〜図９に示すように、発光モジュール１６は、複数の基板４２と、複数の基板４２の各々に実装された複数の第１の発光素子４４及び複数の第２の発光素子４６（発光素子の一例）とを有している。
【００３４】
図９に示すように、基板４２は、複数の第１の発光素子４４及び複数の第２の発光素子４６を実装するためのプリント配線基板であり、円弧状に形成されている。複数の基板４２の各々は、反射カバー１４の開口部１４ａを囲むようにして、反射カバー１４の一方側の面にネジ４８で取り付けられている。これにより、複数の基板４２は、導光板２２（後述する）の周方向に沿ってリング状に並んで配置される。
【００３５】
図９に示すように、基板４２の外周部且つ基板４２の周方向における両端部にはそれぞれ、一対のコネクタ５０（接続部材の一例）が実装されている。隣接する一対の基板４２の対向する一対のコネクタ５０は、リード線５２（配線の一例）を介して互いに電気的に接続されている。リード線５２は、隣接する一対の基板４２の各々の外周部間を跨るように配置されている。また、他の隣接する一対の基板４２の対向する一対のコネクタ５０はそれぞれ、一対のリード線５４を介して電源ユニット１２の基板３６に電気的に接続されている。一対のリード線５４は、電源ユニット１２から反射カバー１４を貫通して延びている。
【００３６】
なお、基板４２としては、例えば、樹脂基板、メタルベース基板、セラミック基板又はガラス基板等を用いることができる。また、基板４２は、リジッド基板に限定されず、フレキシブル基板であってもよい。
【００３７】
複数の第１の発光素子４４は、基板４２の内周部に実装されている。具体的には、複数の第１の発光素子４４は、基板４２の内周部において、基板４２の径方向に例えば３列配置されている。各列において、複数の第１の発光素子４４は、基板４２の周方向に間隔を置いて配置されている。これにより、発光モジュール１６全体としては、複数の第１の発光素子４４は、リング状に配置されるようになる。
【００３８】
複数の第２の発光素子４６は、基板４２の外周部に実装されている。具体的には、複数の第２の発光素子４６は、基板４２の外周部において、基板４２の周方向に間隔を置いて例えば１列のみ配置されている。これにより、発光モジュール１６全体としては、複数の第２の発光素子４６は、リング状に配置されるようになる。
【００３９】
第１の発光素子４４及び第２の発光素子４６の各々は、例えば、パッケージ化された表面実装（ＳＭＤ：Ｓｕｒｆａｃｅ  Ｍｏｕｎｔ  Ｄｅｖｉｃｅ）型の白色ＬＥＤ素子である。すなわち、第１の発光素子４４及び第２の発光素子４６の各々は、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、青色ＬＥＤチップからの青色光を励起光として蛍光発光するＹＡＧ（イットリウム・アルミニウム・ガーネット）等の黄色蛍光体が含有されている。
【００４０】
このように、第１の発光素子４４及び第２の発光素子４６の各々は、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして第１の発光素子４４及び第２の発光素子４６の各々から白色光が出射される。
【００４１】
なお、本実施の形態では、第１の発光素子４４及び第２の発光素子４６がともに白色光を発するようにしたが、互いに異なる色（波長）の光を発するようにしてもよい。例えば、第１の発光素子４４が白色光を発し、第２の発光素子４６が電球色光を発するようにしてもよい。
【００４２】
［１−７．レンズカバー］
次に、図３〜図８を参照しながら、レンズカバー１８について説明する。レンズカバー１８は、複数の第１の発光素子４４の各々からの光の配光角を拡大するための光学部材である。
【００４３】
図３〜図８に示すように、レンズカバー１８は、リング状に形成され、透光性を有する材料（例えば透明のアクリル樹脂等）で形成されている。図８に示すように、レンズカバー１８は、複数の基板４２の各々の内周部を覆うようにして、反射カバー１４の一方側の面にネジ５６で取り付けられている。このとき、レンズカバー１８は、複数の基板４２の各々の複数の第１の発光素子４４を覆い、且つ、複数の基板４２の各々の複数の第２の発光素子４６を覆わない。
【００４４】
レンズカバー１８には、複数の第１の発光素子４４に対応して、複数のレンズ部１８ａが形成されている。複数の第１の発光素子４４の各々からの光は、対応するレンズ部１８ａを透過する。このとき、複数のレンズ部１８ａの各々は、透過する光の配光角を拡大させる。
【００４５】
［１−８．化粧カバー］
次に、図５〜図７を参照しながら、化粧カバー２０について説明する。化粧カバー２０は、反射カバー１４及び器具本体８を側方から覆って化粧するためのカバーである。
【００４６】
図５〜図７に示すように、化粧カバー２０は、リング状に形成されている。具体的には、化粧カバー２０は、一端部（床面側の端部）から他端部（天井４側の端部）に向けてラッパ状に広がっており、反射カバー１４及び器具本体８を側方から覆うように配置されている。なお、化粧カバー２０は、例えば白色のポリスチレン樹脂等で形成されている。
【００４７】
図６及び図７に示すように、化粧カバー２０の一端部には、化粧カバー２０の径方向内側且つ化粧カバー２０の他端部に向けて湾曲しながら延びるリング状の支持部２０ａが形成されている。支持部２０ａは、導光板２２の湾曲部２２ｂ（後述する）の全周に亘って湾曲部２２ｂの凹面側を支持している。
【００４８】
化粧カバー２０の内面には、化粧カバー２０の全周に亘って延びるリング状の突部２０ｂが形成されている。突部２０ｂは、反射カバー１４のフランジ部１４ｂに接触している。これにより、化粧カバー２０は、反射カバー１４に対して位置決めされる。
【００４９】
［１−９．導光板］
次に、図１〜図７を参照しながら、導光板２２について説明する。導光板２２は、入射した複数の第２の発光素子４６の各々からの光を空間６に導くための光学部材である。図１〜図７に示すように、導光板２２は、略円形状の開口部２２ａを有するリング状に形成されている。具体的には、導光板２２は、湾曲部２２ｂ、入射部２２ｃ、出射部２２ｄ及び複数の取付部２２ｅを有している。なお、導光板２２は、透光性を有する材料（例えば透明のアクリル樹脂等）で形成されている。
【００５０】
図６及び図７に示すように、湾曲部２２ｂは、一端部（天井４側の端部）から他端部（床面側の端部）に向けてラッパ状に広がっている。すなわち、湾曲部２２ｂよりも径方向内側に上述した開口部２２ａが形成されており、複数の第１の発光素子４４及びレンズカバー１８は、開口部２２ａに対向する位置に配置されている。湾曲部２２ｂは、光を一端部から他端部に向けて導く。湾曲部２２ｂの凹面側は、化粧カバー２０の支持部２０ａに支持されている。湾曲部２２ｂの凸面側は、反射部材２４の反射部２４ａ（後述する）により覆われている。すなわち、湾曲部２２ｂは、化粧カバー２０の支持部２０ａと反射部材２４の反射部２４ａとの間に挟持されている。
【００５１】
入射部２２ｃは、湾曲部２２ｂの一端部の全周に亘ってリング状に形成されており、導光板２２の内周部を規定する。入射部２２ｃは、複数の第２の発光素子４６に対向且つ近接する位置に配置されている。すなわち、複数の第２の発光素子４６は、導光板２２の内周部に対向する位置に配置されている。
【００５２】
出射部２２ｄは、湾曲部２２ｂの他端部の全周から導光板２２の径方向外側にリング状に延びており、導光板２２の外周部を規定する。出射部２２ｄは、化粧カバー２０の一端部よりも導光板２２の径方向外側に張り出しており、略水平な姿勢で（すなわち、天井４に対して略平行な姿勢で）配置されている。出射部２２ｄの一方側の面（床面側の面）は、光が出射する面である。出射部２２ｄの他方側の面（天井４側の面）には、例えばドット加工によりプリズム形状（図示せず）が形成されている。
【００５３】
図５〜図７に示すように、複数の取付部２２ｅは、入射部２２ｃから導光板２２の径方向内側に向けて延びている。複数の取付部２２ｅは、複数の基板４２に対応して、入射部２２ｃの周方向に間隔を置いて配置されている。複数の取付部２２ｅの各々は、対応する基板４２の所定の領域（複数の第１の発光素子４４と複数の第２の発光素子４６との間の領域）にネジ４８（図８参照）で取り付けられている。
【００５４】
［１−１０．反射部材］
次に、図４〜図７を参照しながら、反射部材２４について説明する。反射部材２４は、導光板２２の湾曲部２２ｂの内部で導かれた光を反射するための部材である。
【００５５】
図４〜図７に示すように、反射部材２４は、リング状に形成されている。具体的には、反射部材２４は、反射部２４ａ、押さえ部２４ｂ及び仕切り部２４ｃを有している。なお、反射部材２４は、例えば白色のポリカーボネート樹脂等で形成されている。
【００５６】
反射部２４ａは、一端部（天井４側の端部）から他端部（床面側の端部）に向けてラッパ状に広がっている。反射部２４ａの凹面側には反射面が形成されている。反射部２４ａの凹面側は、導光板２２の湾曲部２２ｂの全周に亘って湾曲部２２ｂの凸面側を覆っている。
【００５７】
押さえ部２４ｂは、反射部２４ａの一端部の全周から反射部材２４の径方向内側にリング状に延びている。押さえ部２４ｂは、複数の取付部２２ｅとともに、複数の基板４２の各々の所定の領域にネジ４８で取り付けられている。これにより、図６及び図７に示すように、押さえ部２４ｂの先端部は、レンズカバー１８の外周部を複数の基板４２に向けて押さえ付けることにより、複数の基板４２を反射カバー１４に向けて押さえ付けるようになる。
【００５８】
図７に示すように、仕切り部２４ｃは、押さえ部２４ｂの全周に亘ってリング状に形成され、レンズカバー１８の外周部と導光板２２の入射部２２ｃとの間を仕切るように突出している。仕切り部２４ｃは、レンズカバー１８と導光板２２との間を遮光するためのものである。そのため、反射部材２４は、遮光性を有する材料（例えば不透明の樹脂材料）で形成されている。
【００５９】
また、後述する図１０に示すように、押さえ部２４ｂには、拡散カバー２６と係合される複数の係合部５８が取り付けられている。複数の係合部５８は、押さえ部２４ｂの周方向に間隔を置いて配置されている。なお、説明の都合上、図３〜図５では、複数の係合部５８の図示を省略してある。
【００６０】
［１−１１．拡散カバー］
次に、図１及び図３〜図７を参照しながら、拡散カバー２６について説明する。拡散カバー２６は、複数の第１の発光素子４４の各々からの光を拡散させるためのカバーである。
【００６１】
図１及び図３〜図７に示すように、拡散カバー２６は、反射部材２４の複数の係合部５８の各々に着脱自在に取り付けられ、導光板２２の開口部２２ａを覆うように配置されている。図３に示すように、拡散カバー２６を反射部材２４から取り外すことにより、レンズカバー１８が導光板２２の開口部２２ａから露出される。図６及び図７に示すように、拡散カバー２６は、拡散部２６ａ及び取付部２６ｂを有している。
【００６２】
拡散部２６ａは円板状に形成され、導光板２２の開口部２２ａを覆うように配置されている。拡散部２６ａの外周部は、湾曲部２２ｂの他端部よりも導光板２２の径方向外側に張り出しており、出射部２２ｄの内周部を覆っている。拡散部２６ａは、透光性を有する材料（例えば乳白色のアクリル樹脂等）で形成されている。
【００６３】
取付部２６ｂは、拡散部２６ａの外周部の全周から拡散部２６ａの軸方向（Ｚ軸方向）にラッパ状に延びている。後述する図１１に示すように、取付部２６ｂの内周部は、複数の係合部５８の各々に着脱自在に係合されている。この状態では、取付部２６ｂは、反射部材２４の反射部２４ａの凸面側を覆うように配置されている。
【００６４】
なお、図７に示すように、拡散部２６ａの外周部はテーパ状に形成されている。これにより、拡散部２６ａに厚み（Ｚ軸方向の大きさ）が生じるので、ユーザは、拡散カバー２６を着脱する際に拡散部２６ａを手で容易に掴むことができる。
【００６５】
［１−１２．照明器具の特徴的構成］
次に、図１０及び図１１を参照しながら、実施の形態に係る照明器具２の特徴的構成について説明する。図１０は、拡散カバー２６を省略した状態での、実施の形態に係る照明器具２を示す平面図である。図１１は、図１０のＸＩ−ＸＩ線断面斜視図である。
【００６６】
図１０及び図１１に示すように、反射部材２４の押さえ部２４ｂは、複数の基板４２の各々の外周部を覆っている。これにより、複数のコネクタ５０及び複数のリード線５２，５４は、反射部材２４の押さえ部２４ｂによって覆われるようになる。このとき、反射部材２４は、遮光性を有する材料で形成されているので、室内側から複数のコネクタ５０及び複数のリード線５２，５４の影が拡散カバー２６を通して見えるのを抑制することができる。
【００６７】
［１−１３．照明方法］
次に、図６及び図７を参照しながら、上述した照明器具２による照明方法について説明する。電源ユニット１２からの直流電力が発光モジュール１６に供給されることにより、複数の第１の発光素子４４及び複数の第２の発光素子４６の各々が発光する。
【００６８】
図６及び図７に示すように、複数の第１の発光素子４４の各々からの光は、レンズカバー１８の対応するレンズ部１８ａを透過した後に、導光板２２の開口部２２ａを通して拡散カバー２６に入射する。拡散カバー２６に入射した光は、拡散カバー２６から拡散されながら出射した後に、空間６を照射する。すなわち、複数の第１の発光素子４４の各々からの光は、導光板２２に入射せずに空間６を直接照射する。
【００６９】
なお、図７に示すように、複数の第１の発光素子４４の各々からの光の一部は、反射部材２４等で反射した後に反射カバー１４の一方側の面で反射する。このように多重反射した光は、拡散カバー２６に入射する。これにより、光の取り出し効率を高めることができる。
【００７０】
一方、複数の第２の発光素子４６の各々からの光は、導光板２２の入射部２２ｃに入射した後に、湾曲部２２ｂの内部で導かれる。湾曲部２２ｂの内部では、光は、反射部材２４の反射部２４ａで反射しながら入射部２２ｃから出射部２２ｄに向けて導かれる。出射部２２ｄへと導かれた光は、出射部２２ｄの他方側の面に形成されたプリズム形状で反射することにより、出射部２２ｄの一方側の面から出射する。
【００７１】
上述したように、仕切り部２４ｃがレンズカバー１８の外周部と導光板２２の入射部２２ｃとの間を仕切っているので、レンズカバー１８と導光板２２とが光学的に干渉するのを抑制することができる。
【００７２】
以上のようにして、拡散カバー２６からの光によって空間６を直射照明し、且つ、導光板２２の出射部２２ｄからの光によって空間６を導光照明することができる。なお、複数の第１の発光素子４４及び複数の第２の発光素子４６の各々を全灯した場合に、複数の第１の発光素子４４の各々から空間６に照射される光の光束は、導光板２２の出射部２２ｄから空間６に照射される光の光束よりも大きい。
【００７３】
これにより、照明器具２の直下の空間６は、拡散カバー２６からの光によって比較的明るく直射照明されるので、例えば読書又は手作業等に必要な照度を確保することができる。一方、照明器具２の周囲の空間６は、導光板２２の出射部２２ｄからの光によってあたかも間接照明のように比較的暗く導光照明されるので、くつろぎ感を演出することができる。
【００７４】
なお、本実施の形態では、複数の第１の発光素子４４及び複数の第２の発光素子４６をともに点灯させる場合について説明したが、例えば室内の雰囲気に応じて、複数の第１の発光素子４４のみを点灯させてもよく、あるいは、複数の第２の発光素子４６のみを点灯させてもよい。
【００７５】
［２．効果］
本実施の形態の照明器具２は、空間６を照明するための照明器具である。照明器具２は、リング状に並べられた複数の基板４２と、複数の基板４２にそれぞれ実装された複数の第１の発光素子４４と、少なくとも隣接する一対の基板４２の各々の外周部にそれぞれ実装された一対のコネクタ５０と、一対のコネクタ５０を電気的に接続するリード線５２と、リング状に形成された反射部材２４であって、複数の基板４２の各々の外周部を覆い、遮光性を有する反射部材２４と、複数の第１の発光素子４４からの光を拡散させるための拡散カバー２６とを備える。
【００７６】
これによれば、反射部材２４は複数の基板４２の各々の外周部を覆うので、一対のコネクタ５０及びリード線５２は、反射部材２４によって覆われるようになる。このとき、反射部材２４は遮光性を有するので、室内側から一対のコネクタ５０及びリード線５２の影が拡散カバー２６を通して見えるのを抑制することができる。その結果、拡散カバー２６に一対のコネクタ５０及びリード線５２の影が生じるのを抑制することができ、照明器具２の照明状態を良好に保つことができる。
【００７７】
さらに、反射部材２４は、拡散カバー２６に着脱自在に係合する係合部５８を有している。
【００７８】
これによれば、拡散カバー２６を、係合部５８を介して反射部材２４に着脱自在に取り付けることができる。
【００７９】
さらに、照明器具２は、開口部２２ａを有するリング状に形成され、光を空間６に導くための導光板２２を備える。複数の発光素子は、複数の基板４２の各々の内周部にそれぞれ実装され、導光板２２の開口部２２ａに対向する位置に配置された複数の第１の発光素子４４と、複数の基板４２の各々の外周部にそれぞれ実装され、導光板２２の内周部に対向する位置に配置された複数の第２の発光素子４６とを有する。
【００８０】
これによれば、複数の第１の発光素子４４からの光によって空間６を直射照明し、且つ、導光板２２からの光によって空間６を導光照明することができる。このように直射照明と導光照明とを組み合わせることにより、照明器具２による照明の演出効果を高めることができる。また、直射照明用の複数の第１の発光素子４４と導光照明用の複数の第２の発光素子４６とが同一の基板４２に実装されるので、照明器具２の構成を簡素化することができる。
【００８１】
さらに、照明器具２は、基板４２を支持する反射カバー１４を備える。反射部材２４は、導光板２２の一部を覆い、導光板２２の内部で導かれた光を反射する反射面を有する反射部２４ａと、反射部２４ａの端部から延び、複数の基板４２を反射カバー１４に向けて押さえ付ける押さえ部２４ｂとを有している。押さえ部２４ｂは、複数の基板４２の各々の外周部を覆う。
【００８２】
これによれば、導光板２２に入射した光は、反射部２４ａで反射しながら導光板２２の内部で導かれるので、導光板２２に入射した光を効率良く導光板２２から出射させることができる。また、複数の基板４２を反射カバー１４に向けて押さえ付ける押さえ部２４ｂを利用して、一対のコネクタ５０及びリード線５２を覆うことができる。
【００８３】
さらに、導光板２２は、光を一端部から他端部に向けて導く湾曲部２２ｂであって、開口部２２ａを有し、一端部から他端部に向けてラッパ状に広がる湾曲部２２ｂと、湾曲部２２ｂの一端部に形成され、複数の第２の発光素子４６からの光が入射する入射部２２ｃと、湾曲部２２ｂの他端部から径方向外側に延び、湾曲部２２ｂからの光が出射する出射部２２ｄとを有している。反射部２４ａは、湾曲部２２ｂの全周に亘って湾曲部２２ｂの凸面側を覆う。
【００８４】
これによれば、導光板２２は湾曲部２２ｂを有しているので、導光板２２の径方向における大きさを小さく抑えることができる。
【００８５】
（変形例等）
以上、本発明について実施の形態に基づいて説明したが、本発明は、上記実施の形態に限定されるものではない。
【００８６】
上記実施の形態では、照明器具２が取り付けられる造営材が天井４である場合について説明したが、これに限定されず、造営材は例えば建物の内部の壁等であってもよい。
【００８７】
また、上記実施の形態では、照明器具２をシーリングライトとしたが、これに限定されず、例えばシャンデリア、ペンダントライト、ブラケットライト、バスルームライト又はキッチンライト等としてもよい。
【００８８】
また、上記実施の形態では、第１の発光素子４４及び第２の発光素子４６の各実装構造をＳＭＤ構造としたが、これに限定されず、例えばＬＥＤチップを基板４２に直接実装したＣＯＢ（Ｃｈｉｐ  Ｏｎ  Ｂｏａｒｄ）構造であってもよい。この場合、封止部材によって、基板４２上に実装された複数のＬＥＤチップを一括に封止してもよく、あるいは、個別に封止してもよい。また、封止部材には、上述した黄色蛍光体等の波長変換材が含有されていてもよい。
【００８９】
また、上記実施の形態では、第１の発光素子４４及び第２の発光素子４６を実装するための基板４２と回路部品３８を実装するための基板３６とが別々の基板である場合について説明したが、これに限定されず、第１の発光素子４４、第２の発光素子４６及び回路部品３８を同一の基板に実装してもよい。
【００９０】
また、上記実施の形態では、第１の発光素子４４及び第２の発光素子４６としてＬＥＤを例示したが、これに限定されず、例えば半導体レーザ等の半導体発光素子、有機ＥＬ（Ｅｌｅｃｔｒｏ  Ｌｕｍｉｎｅｓｃｅｎｃｅ）又は無機ＥＬ等、その他の固体発光素子を用いてもよい。
【００９１】
その他、上記実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【００９２】
２  照明器具
６  空間
１４  反射カバー（支持部材）
２２  導光板
２２ａ  開口部
２２ｂ  湾曲部
２２ｃ  入射部
２２ｄ  出射部
２４  反射部材（カバー部材）
２４ａ  反射部
２４ｂ  押さえ部
２６  拡散カバー
４２  基板
４４  第１の発光素子（発光素子）
４６  第２の発光素子（発光素子）
５０  コネクタ（接続部材）
５２，５４  リード線（配線）
５８  係合部
【図１】
0006735470.tif 000002
【図２】
0006735470.tif 000003
【図３】
0006735470.tif 000004
【図４】
0006735470.tif 000005
【図５】
0006735470.tif 000006
【図６】
0006735470.tif 000007
【図７】
0006735470.tif 000008
【図８】
0006735470.tif 000009
【図９】
0006735470.tif 000010
【図１０】
0006735470.tif 000011
【図１１】
0006735470.tif 000012